(57)【特許請求の範囲】
【請求項１】
ユーザにより入力された第一のパスワード情報及びユーザ側に発行した第二のパスワード情報並びにユーザ側に交付したユーザＩＤを含むユーザ情報が記憶される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを備えて実行される本人確認方法であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行するステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、正式パスワードの入力を促すステップと、
正式パスワードが入力された場合に、上記制御手段により、既に登録されている対応ユーザ情報と併せてその内容の更新登録を上記記憶手段に対して行うステップと
を実行することを特徴とする本人確認方法。
【請求項２】
ユーザにより入力された第一のパスワード情報及びユーザ側に発行した第二のパスワード情報並びにユーザ側に交付したユーザＩＤを含むユーザ情報が記憶され、且つ本人確認フラグが設定される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを備えて実行される本人確認方法であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行し、且つ本人確認フラグの設定がなされるステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、上記本人確認フラグを立てると共に、正式パスワードの入力を促すステップと、
正式パスワードが入力された場合に、上記制御手段により、既に登録されている対応ユーザ情報と併せてその内容の更新登録を上記記憶手段に対して行うステップと
を実行することを特徴とする本人確認方法。
【請求項３】
上記制御手段により、上記ユーザログイン後の第一のパスワード情報の入力を促すステップにおいて、第二のパスワード情報の入力を再度促すと共に、上記照合手段による照合ステップで、促されて入力された第二のパスワード情報と登録されている第二のパスワード情報との照合を行うことを特徴とする請求項１又は２記載の本人確認方法。
【請求項４】
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶する記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させると共に、上記照合手段による第一のパスワード情報同士の照合結果が一致する場合に、当該ユーザによる正式パスワードの入力を促して、該正式パスワードが入力された時に、前記記憶手段に記憶されたユーザ情報と併せてその内容を更新する制御手段と
を有することを特徴とする本人確認装置。
【請求項５】
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶すると共に、本人確認フラグが設定される記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させ、さらに本人確認フラグの設定を行うと共に、上記照合手段による第一のパスワード情報同士の照合結果が一致する場合に、上記本人確認フラグを立てた上で、当該ユーザによる正式パスワードの入力を促して、該正式パスワードが入力された時に、前記記憶手段に記憶されたユーザ情報と併せてその内容を更新する制御手段と
を有することを特徴とする本人確認装置。
【請求項６】
コンピュータ上に、ユーザにより入力された第一のパスワード情報及びユーザ側に発行した第二のパスワード情報並びにユーザ側に交付したユーザＩＤを含むユーザ情報が記憶される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを構成し、それらの構成によって、次の各ステップが実行される、コンピュータに読み込まれて実行可能なプログラムを記録した記録媒体であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行するステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、正式パスワードの入力を促すステップと、
正式パスワードが入力された場合に、上記制御手段により、既に登録されている対応ユーザ情報と併せてその内容の更新登録を上記記憶手段に対して行うステップと
を実行させるプログラムを記録したコンピュータ読み取り可能な記録媒体。
【請求項７】
コンピュータ上に、ユーザにより入力された第一のパスワード情報及びユーザ側に発行した第二のパスワード情報並びにユーザ側に交付したユーザＩＤを含むユーザ情報が記憶され、且つ本人確認フラグが設定される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを構成し、それらの構成によって、次の各ステップが実行される、コンピュータに読み込まれて実行可能なプログラムを記録した記録媒体であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行し、且つ本人確認フラグの設定がなされるステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、上記本人確認フラグを立てると共に、正式パスワードの入力を促すステップと、
正式パスワードが入力された場合に、上記制御手段により、既に登録されている対応ユーザ情報と併せてその内容の更新登録を上記記憶手段に対して行うステップと
を実行させるプログラムを記録したコンピュータ読み取り可能な記録媒体。
【請求項８】
前記コンピュータが、制御手段により、上記ユーザログイン後の第一のパスワード情報の入力を促すステップを実行する場合に、第二のパスワード情報の入力を再度促すと共に、同じく該コンピュータが、上記照合手段による照合ステップを実行する場合に、促されて入力された第二のパスワード情報と登録されている第二のパスワード情報との照合を行うことを特徴とする請求項６又は７記載の記録媒体。
【請求項９】
コンピュータを、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶する記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させると共に、上記照合手段による第一のパスワード情報同士の照合結果が一致する場合に、当該ユーザによる正式パスワードの入力を促して、該正式パスワードが入力された時に、前記記憶手段に記憶されたユーザ情報と併せてその内容を更新する制御手段と
して機能させるプログラムを記録したコンピュータ読み取り可能な記録媒体。
【請求項１０】
コンピュータを、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶すると共に、本人確認フラグが設定される記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させ、さらに本人確認フラグの設定を行うと共に、上記照合手段による第一のパスワード情報同士の照合結果が一致する場合に、上記本人確認フラグを立てた上で、当該ユーザによる正式パスワードの入力を促して、該正式パスワードが入力された時に、前記記憶手段に記憶されたユーザ情報と併せてその内容を更新する制御手段と
して機能させるプログラムを記録したコンピュータ読み取り可能な記録媒体。
【発明の詳細な説明】
【０００１】
【発明の属する技術分野】
本発明は、ネット上で本人を確認する方法、その装置及び記録媒体に関する。
【０００２】
【従来の技術】
ネット上において、ユーザがウェブサイトなどにログインする場合、通常ユーザＩＤとパスワードを入力し、予め登録されたものとの照合を行って、その照合結果が一致すれば、上記ログインが許可される。このような技術は、ネット上の決済処理などを行うサイトにも用いられている。
【０００３】
上記決済処理などを行うサイトでは、最終的にユーザからの出金を伴う処理を扱うために、本人確認を確実に行う必要がある。そのため、これらのサービスを利用しようとするユーザに対し、該サイトからそこで決められたユーザＩＤと仮のパスワードを、郵便物などに記載して交付し（ユーザの住所に送り）、それらを使用して該ユーザがログインすることで、本人であるとの確認が行われている。その後は、ユーザが必要に応じて上記パスワードの更新を行うことになる。
【０００４】
【発明が解決しようとする課題】
しかし、ユーザの居宅がマンションやアパートなどの集合住宅であるような場合に、上記郵便物が間違った住所に配送されるようなことがある。また上記誤送がなくても、郵便受けなどから盗み出される心配がないとは言えない。そのような場合に、該郵便物を受け取った者が、該ユーザ本人になりすまして、上記サイトにアクセスすれば、本人からのアクセスであると扱われて、決済などの出金を伴う処理が上記ユーザの知らないところでなされ、該ユーザが損失を被ることになる。
【０００５】
もちろん上記のユーザＩＤ及び仮パスワードの交付は、郵便物だけではなく、電子メールなどで送付される場合もあり、ハッキング行為によりその内容が他人に漏れた場合、上記と同様な問題が発生する。
【０００６】
本発明は、以上のような問題に鑑み創案されたもので、ウェブサイトが提供するサービスの初回利用時点において、第三者によるなりすまし等の不正ログインを防止するため、ログインしようとする者が申込者本人であることを確認する方法、及びそのような本人の確認ができる装置、更には本人確認プログラムが記録された記録媒体を提供せんとするものである。
【０００７】
【課題を解決するための手段】
本発明に係る本人確認方法は、
ユーザにより入力された第一のパスワード情報及びユーザ側に発行した第二のパスワード情報並びにユーザ側に交付したユーザＩＤを含むユーザ情報が記憶される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを備えて実行される本人確認方法であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行するステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、正式パスワードの入力を促すステップと、
正式パスワードが入力された場合に、上記制御手段により、既に登録されている対応ユーザ情報と併せてその内容の更新登録を上記記憶手段に対して行うステップと
を実行することを基本的特徴としている。
【０００８】
上記構成によれば、第一のパスワード情報を該ユーザに予め登録させ（この第一のパスワード情報は、通常ユーザ側しか知り得ない；後述するように、特定のウェブサイトの申込登録時において、ユーザによって入力された任意の文字情報であって、サイトが存在するサーバ上の制御手段によって自動的に付与されたユーザＩＤと関連づけられた第一のパスワード情報）、それとは別に郵送や電子メールなどの方法（特に限定はない）によりこのユーザ向けに発行された第二のパスワード情報（後述するように、前記制御手段により自動的に、またはサイト側オペレータによって、入力された任意の文字情報であって、該ユーザＩＤと関連づけられた第二のパスワード情報）と上記第一のパスワード情報とを、上記ログイン時にユーザに入力させることで、両者が登録されているものと一致した時に、ユーザ本人と確認できることになる。それによってウェブサイトが提供するサービスの初回利用時点において、ログインしようとする者が申込者本人であることを確認でき、第三者によるなりすまし等の不正ログインを防止することが可能となる。
【０００９】
但し、その後のログイン毎に上記操作をユーザにさせることは、操作性を損なうことになるので、本構成では、上記本人確認ができた時点で、正式パスワードを新たに入力させ（パスワードの更新を行わせ）、以後この正式パスワードと前記ユーザＩＤを用いて、ユーザがログインできるようにする。もちろんこの正式パスワードの更新も可能であることは言うまでもない。
【００１０】
またサービスの初回利用時点における本人確認が行われているか否かをチェックし、本人確認のなされていない者へのユーザＩＤ及び第二のパスワード情報を転送する構成を備えていると、サービス初回利用時点での本人確認がより正確に実行されることになる。請求項２の構成は、そのような構成を提供するものであって、より具体的には
ユーザにより入力された第一のパスワード情報及びユーザ側に発行した第二のパスワード情報並びにユーザ側に交付したユーザＩＤを含むユーザ情報が記憶され、且つ本人確認フラグが設定される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを備えて実行される本人確認方法であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行し、且つ本人確認フラグの設定がなされるステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、上記本人確認フラグを立てると共に、正式パスワードの入力を促すステップと、
正式パスワードが入力された場合に、上記制御手段により、既に登録されている対応ユーザ情報と併せてその内容の更新登録を上記記憶手段に対して行うステップと
を実行することを特徴としている。
さらに第二のパスワード情報はログイン時に通常ユーザＩＤと共に入力されるが、上記第一のパスワード情報の入力を促すステップにおいて、再度第二のパスワード情報も入力させるようにしても良い。請求項３はそのような構成について規定している。すなわち、上記制御手段により、上記ユーザログイン後の第一のパスワード情報の入力を促すステップにおいて、第二のパスワード情報の入力を再度促すと共に、上記照合手段による照合ステップで、促されて入力された第二のパスワード情報と登録されている第二のパスワード情報との照合を行うようにする構成である。
【００１１】
請求項４に係る本人確認装置は、請求項１の以上のステップを含む方法の構成を、装置の構成としてとらえ直した場合を提案しており、その具体的構成は、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶する記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させると共に、上記照合手段による第一のパスワード情報同士の照合結果が一致する場合に、当該ユーザによる正式パスワードの入力を促して、該正式パスワードが入力された時に、前記記憶手段に記憶されたユーザ情報と併せてその内容を更新する制御手段と
を有することを特徴としている。
同様に、請求項５に係る本人確認装置は、請求項２の以上のステップを含む方法の構成を、装置の構成としてとらえ直した場合を提案しており、その具体的構成は、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶すると共に、本人確認フラグが設定される記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させ、さらに本人確認フラグの設定を行うと共に、上記照合手段による第一のパスワード情報同士の照合結果が一致する場合に、上記本人確認フラグを立てた上で、当該ユーザによる正式パスワードの入力を促して、該正式パスワードが入力された時に、前記記憶手段に記憶されたユーザ情報と併せてその内容を更新する制御手段と
を有することを特徴としている。
【００１２】
上述のように、本構成では、ユーザによって第一のパスワード情報（場合によりユーザ氏名、住所、口座などのユーザ情報の一部も併せて）を記憶手段に予め記憶させ、ユーザ情報の一部を構成するユーザＩＤ及び第二のパスワード情報をユーザ側に発行する。そしてこれらの第二のパスワード情報及びユーザ情報（前述のようにユーザＩＤも含んでいる）も前記記憶手段に記憶せしめる。さらにログイン時に、ユーザにより入力される第一のパスワード情報及び上記第二のパスワード情報（ログイン時にユーザＩＤと共に入力された第二のパスワード情報、或いはユーザに再度入力させた第二のパスワード情報）と、上記記憶手段に記憶されているものとを、前記照合手段で照合させる。当該照合手段で、両者が一致しているものと判断された場合に、ユーザ本人と確認できることになる。その後のログイン毎に上記操作をユーザにさせることは、操作性を損なうことになるので、本構成では、上記本人確認ができた時点で、ユーザからの新たな正式パスワードの入力を待って、制御手段により、上記ユーザ情報と併せて記憶手段に記憶されている内容を更新させる。以後この正式パスワードと前記ユーザＩＤを用いて、ユーザは、ログインできるようになる。
【００１３】
上記本人確認装置を構成する各手段は、１つの構成（スタンドアローン型のコンピュータなど）に組み込まれていても良いが、それに限定されるわけではなく、ネットワークを構成する複数のコンピュータ（ウェブサーバとアプリケーションサーバなど）に、前記各手段を分散して備え、それらの間で（必要であれば適当な通信構成を介して）上記手段の処理を分散して行うようにしても良い。
【００１４】
請求項６〜請求項１０までの構成は、請求項１〜請求項５に記載の構成を、コンピュータに実行させるために、該コンピュータで実行可能なプログラムを格納した記録媒体を規定している。すなわち、上述した課題を解決するための構成として、コンピュータの構成を用いて上記各ステップを実行する、又は上記各手段を、コンピュータの構成を利用することで実現する、該コンピュータで読み込まれて実行可能なプログラムを格納した記録媒体を開示する。もちろん、これらの構成は、記録媒体の構成としてだけではなく、同様な機能を達成するプログラムとして提供されても良いことは言うまでもない。この場合、コンピュータとは中央演算処理装置の構成を含んだ汎用的なコンピュータの構成の他、特定の処理に向けられた専用機などの含むものであっても良く、中央演算処理装置の構成を伴うものであれば特に限定はない。
【００１５】
このような記録媒体から、上記各ステップを実行するプログラムが該コンピュータに読み出されるか、又はコンピュータを上記各手段として機能させるためのプログラムが該コンピュータに読み出されることで、請求項１、請求項２又は請求項３に規定された各ステップと同様な処理が行われ、さらに請求項４又は請求項５に規定された各手段と同様な構成が実現されることになる。
【００１６】
この記録媒体により、これをソフトウェア商品として容易に配布、販売することができるようになる。また、既存のハードウェア資源を用いてこのソフトウェアを使用することにより、既存のハードウェアで新たなアプリケーションとしての本発明の方法乃至装置が容易に実行できるようになる。またこのような記録媒体の構成の他、ＲＡＭやＲＯＭなどの内部記憶装置の構成やハードディスクなどの外部記憶装置の構成も、そのようなプログラムがそこに記録されれば、本発明に規定する記録媒体に含まれることは言うまでもない。
【００１７】
尚、請求項１〜請求項３記載の各ステップのうち一部の処理は、コンピュータに予め組み込まれた機能により実行され、さらに請求項４又は請求項５記載の各手段のうち一部の機能は、コンピュータに組み込まれた機能（コンピュータにハードウェア的に組み込まれている機能でも良く、該コンピュータに組み込まれているオペレーティングシステムや他のアプリケーションプログラムなどによって実現される機能でも良い）によって実現され、前記記録媒体に記録されたプログラムには、該コンピュータによって達成される機能を呼び出すあるいはリンクさせる命令が含まれていても良い。
【００１８】
これは、請求項１〜請求項３に規定された各ステップの一部の処理が、或いはさらに請求項４又は請求項５記載の各手段の一部が、例えばオペレーティングシステムなどによって達成される機能の一部で代行され、記録媒体にはその機能を実現するためのプログラムないしモジュールなどは直接記録されているわけではないが、それらの機能を達成するオペレーティングシステムの機能の一部を、呼び出したりリンクさせるようにしてあれば、実質的に同じ構成となるからである。
【００１９】
そのうち、請求項６の構成は、請求項１の構成に対応する構成であり、その具体的構成は、
コンピュータ上に、ユーザにより入力された第一のパスワード情報及びユーザ側に発行した第二のパスワード情報並びにユーザ側に交付したユーザＩＤを含むユーザ情報が記憶される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを構成し、それらの構成によって、次の各ステップが実行される、コンピュータに読み込まれて実行可能なプログラムを記録した記録媒体であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行するステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、正式パスワードの入力を促すステップと、
正式パスワードが入力された場合に、上記制御手段により、既に登録されている対応ユーザ情報と併せてその内容の更新登録を上記記憶手段に対して行うステップと
を実行させるプログラムを記録したコンピュータ読み取り可能な記録媒体を提案する。
また請求項７の構成は、請求項２の構成に対応する構成であり、その具体的構成は、
コンピュータ上に、ユーザにより入力された第一のパスワード情報及びユーザ側に発行した第二のパスワード情報並びにユーザ側に交付したユーザＩＤを含むユーザ情報が記憶され、且つ本人確認フラグが設定される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを構成し、それらの構成によって、次の各ステップが実行される、コンピュータに読み込まれて実行可能なプログラムを記録した記録媒体であって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行し、且つ本人確認フラグの設定がなされるステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、上記本人確認フラグを立てると共に、正式パスワードの入力を促すステップと、
正式パスワードが入力された場合に、上記制御手段により、既に登録されている対応ユーザ情報と併せてその内容の更新登録を上記記憶手段に対して行うステップと
を実行させるプログラムを記録したコンピュータ読み取り可能な記録媒体を提案する。
【００２０】
また請求項８の構成は、請求項３の構成に対応する構成であり、前記コンピュータが、制御手段により、上記ユーザログイン後の第一のパスワード情報の入力を促すステップを実行する場合に、第二のパスワード情報の入力を再度促すと共に、同じく該コンピュータが、上記照合手段による照合ステップを実行する場合に、促されて入力された第二のパスワード情報と登録されている第二のパスワード情報との照合を行うことを特徴とする記録媒体である。
【００２１】
また請求項９の構成は、請求項４の構成に対応する構成であり、その具体的構成は、
コンピュータを、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶する記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させると共に、上記照合手段による第一のパスワード情報同士の照合結果が一致する場合に、当該ユーザによる正式パスワードの入力を促して、該正式パスワードが入力された時に、前記記憶手段に記憶されたユーザ情報と併せてその内容を更新する制御手段と
して機能させるプログラムを記録したコンピュータ読み取り可能な記録媒体である。
さらに、請求項１０の構成は、請求項５の構成に対応する構成であり、その具体的構成は、
コンピュータを、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶すると共に、本人確認フラグが設定される記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させ、さらに本人確認フラグの設定を行うと共に、上記照合手段による第一のパスワード情報同士の照合結果が一致する場合に、上記本人確認フラグを立てた上で、当該ユーザによる正式パスワードの入力を促して、該正式パスワードが入力された時に、前記記憶手段に記憶されたユーザ情報と併せてその内容を更新する制御手段と
して機能させるプログラムを記録したコンピュータ読み取り可能な記録媒体である。
【００２２】
さらに前述と同様、前記コンピュータに関し、ネットワークを構成する複数のコンピュータで構成され、前記各手段による処理は、それらのコンピュータにおいて分散処理されるように、プログラムに設定されたものを記録していても良い。
【００２３】
【発明の実施の形態】
以下、本発明の実施の形態を図示例と共に説明する。
図１は、ユーザＡが、インターネット３００上の所定のサイトＳで、正式ユーザになるために、本発明に係る本人確認装置１０による本人確認手続を行う場合の、全体の枠組みを示す概念図である。
【００２４】
図１に示すように、上記ユーザＡはパソコン２００を有しており、該パソコン２００上で情報閲覧手段として機能するブラウザ２０１により、そこに所定の接続先情報（ＵＲＬ情報）を与えたり、所定のポータルサイトでそのような接続先情報を獲得することで、インターネットを介して、上記サイトＳ側のウェブサーバ１００に接続できるようになっている。ここでパソコン２００のブラウザ２０１が該ウェブサーバ１００につながることで、上記サイトＳにおいて、ユーザＡは、そこで提示される商品の購入や種々の役務の提供を受けることが可能となっている。
【００２５】
このようなサイトＳのサービスを受けるために、該サイトＳで正式ユーザとしての登録を済ませる必要があるが、そのユーザ登録をウェブ上で行う前提としてユーザＡの本人確認を行う必要がある。そのため上記ウェブサーバ１００上に備えられた本発明の本人確認装置１０により、後述するような本人確認処理が実行される。
【００２６】
図２は、上記サイトＳを構成するウェブサーバ１００及びアプリケーションサーバ１１０の装置概要を示している。
【００２７】
図２に示すように、上記ウェブサーバ１００は、システムバス１０１を介してつながる、ＣＰＵ１０２、ＲＡＭ１０３やＲＯＭなどの内部記憶装置、ハードディスクドライブ１０４やＣＤ−ＲＯＭドライブなどの外部記憶装置、インターネットなどへの専用線接続アダプタで構成される特定の通信装置１０５、キーボードやマウスなどの入力装置１０６、ディスプレイやプリンタなどの出力装置１０７を備える通常の構成であり、上記システムバス１０１を介してこれらの間で必要なデータや命令のやり取りが行われる。
【００２８】
またアプリケーションサーバ１１０も、上記と同じ構成を備えており、その詳細は省略する。尚、このアプリケーションサーバ１１０は、ゲイトウェイ１２０を介して、メインフレーム１３０などにつながっている。
【００２９】
上記サイトＳは、上述の図１に示すように、上記ウェブサーバ１００、アプリケーションサーバ１１０及びゲイトウェイ１２０を介してつながるメインフレーム１３０上に構成されており、そのうち本発明の本人確認装置１０は、ウェブサーバ１００上に形成される。該本人確認装置１０は、図３に示すように、記憶手段１、照合手段２、制御手段３を備える構成である。
【００３０】
上記記憶手段１は、上記ＣＰＵ１０２及びハードディスクドライブ１０４で構成されており、後述する制御手段３の制御命令によって、データの登録・更新・削除を行い、第一のパスワード情報、ユーザＩＤを含むユーザ情報及び第二のパスワード情報などが記録されている。また図４は、各ユーザに関する種々のデータの、記憶手段１への格納形式を示している。同図に示すように、ユーザＩＤ、第二のパスワード情報、第一のパスワード情報、ユーザ名前（名称）、ユーザ住所、ユーザの銀行口座番号、本人確認フラグ、更新履歴、備考などのデータで構成されている。尚、上記ユーザＩＤ、ユーザ名前、ユーザ住所、ユーザの銀行口座番号、備考などは、上記ユーザ情報を構成する。
【００３１】
上記照合手段２は、ＣＰＵ１０２及びそのワーキングエリアを提供するＲＡＭ１０３で構成されており、ユーザにより入力されたユーザＩＤの照合の他、ユーザにより入力される第一のパスワード情報及び第二のパスワード情報と、前記記憶手段１に記憶されたユーザＡのそれらのパスワードとの照合を行う。
【００３２】
上記制御手段３は、同じくＣＰＵ１０２で構成されており、上記記憶手段１に格納されるべきデータの記憶・更新・削除などの処理制御やユーザインターフェースに関する種々の制御を行う。特に上記照合結果が一致する場合に、当該ユーザによる正式パスワードの入力を受け入れて、前記記憶手段１に記憶されている上記ユーザ情報と併せて、その内容の更新を行うことになる。本構成では、ユーザＡのブラウザ２０１と上記照合手段２及び制御手段３とのインターフェースとして、ユーザＡからのデータ入力を受け付け、また前記ブラウザ２０１の画面制御を行う入出力制御部３０が設けられており、該入出力制御部３０のこのような機能は、制御手段３の入出力命令により制御されることになる。
【００３３】
以上の構成を前提に、ユーザＡが、本サイトＳにおいて正式ユーザとして登録されるために必要な本人確認処理につき、説明する。
【００３４】
まず、ユーザＡは、自己のブラウザ２０１を使用して上記サイトＳにアクセスし、上記入出力制御部３０の指示に従って、第一のパスワード情報、ユーザＡの名前、住所、自己の銀行口座番号などのユーザ情報を入力する。すると、制御手段３によって、記憶手段１に、第一のパスワード情報、ユーザＡの名前、住所、自己の銀行口座番号などのユーザ情報が登録される。この時ユーザ情報には、前記制御手段３によって自動的にユーザＩＤが付与され（ユーザＩＤが該ユーザ情報の一部を構成するものとして一緒に記憶される）、アクセスしてきた上記ユーザＡにも、入出力制御部３０の制御により上記ブラウザ２０１を介して、該ユーザＩＤが提示される。もちろんこのユーザＩＤは、本サイトＳ側のオペレータにより付与されるものでも良い。
【００３５】
また上記制御手段３は、同時にこのユーザＡに対する付加情報として任意の第二のパスワード情報を発生し、これも一緒に上記記憶手段１に記憶せしめる。もちろんこの第二のパスワード情報についても、本サイトＳ側のオペレータにより付与されるものであっても構わない。
【００３６】
この状態では、前記本人確認フラグは、立っておらず、本人確認は済んでいないことが、上記制御手段３でチェックされる。
【００３７】
そして該ユーザＩＤ及び第二のパスワード情報は、上記ユーザ情報に記録されたユーザＡの住所宛に、郵送で通知される。この処理は、上記制御手段３による本人確認フラグ及び履歴のチェックを行い、その結果本人確認がなされておらず、且つ郵送履歴のないユーザを抽出することで行う。この抽出結果に対し、オペレータの指示により、上記ユーザＩＤ及び第二のパスワード情報の郵送による配送手続を取るようにしても良い。尚、ユーザＩＤと第二のパスワード情報に関しては、サイトＳ側のオペレータが、上記記憶手段１に登録を行うようにしても良い。
【００３８】
ユーザＡが、自己のブラウザ２０１により、上記サイトＳにアクセスし、通知されたユーザＩＤと第二のパスワード情報を用いて、前記入出力制御部３０にログインした場合に、前記照合手段２は、入力されたユーザＩＤ及び第二のパスワード情報を、前記記憶手段１に記憶されたユーザＩＤに照らし、その第二のパスワード情報が符合するか否かをチェックする。
【００３９】
これらが符合しなければ、エラー処理扱いとする。反対にこれらが符合する場合は、上記制御手段３は、さらにユーザＡに対し、第一のパスワード情報の入力を求める。この時一緒に第二のパスワード情報の入力を再度求めても良い。
【００４０】
それに基づきユーザＡによって第一のパスワード情報が入力された場合には、前記照合手段２により、該第一のパスワード情報と、前記記憶手段１に記憶された第一のパスワード情報とが照合される。もちろん、第二のパスワード情報の入力を再度求めた場合は、第一のパスワード情報と一緒に第二のパスワード情報の照合も行われる。
【００４１】
上記照合手段２による照合結果が不一致であれば、上述と同様、エラー処理扱いとなる。反対にその照合結果が一致していると判断されることで、ユーザＡが本人（すなわち正式ユーザ）であると確認されたことになる。
【００４２】
そして上記制御手段３は、さらにユーザＡに対し、前記入出力制御部３０を介して正式パスワードの入力を求める。それに基づきユーザＡによって正式パスワードが入出力制御部３０に入力された場合には、前記制御手段３は、該正式パスワードの入力を受け入れて、前記記憶手段１に記憶されている上記ユーザ情報と併せてその内容の更新を行う。すなわち記憶手段１において、第一のパスワード情報の記録データが正式パスワードに更新され、また第二のパスワード情報は削除され、さらに本人確認フラグが立つことになる。
【００４３】
以後ユーザＡは、前記ユーザＩＤ及び正式パスワードを用いて、本サイトＳにログインすることになる。
【００４４】
図５は、以上の処理の流れを示すフローチャートである。まずユーザＡが本サイトＳのウェブサーバ１００にアクセスした時に、ユーザＡによってユーザＩＤ及び第二のパスワード情報が入力される（ステップＳ１０１）。照合手段２によりユーザＡが入力したユーザＩＤが前記記憶手段１に登録されているか否かがチェックされる（ステップＳ１０２）。その登録がなければ（ステップＳ１０２；Ｎｏ）、エラー処理扱いとし、そこで処理が終了する。
【００４５】
反対に上記ユーザＩＤが登録されているものであると判断されると（ステップＳ１０２；Ｙｅｓ）、同じく照合手段２によって、ユーザＡが入力した第二のパスワード情報が前記記憶手段１に登録されているユーザＩＤのものと一致するか否かがチェックされる（ステップＳ１０３）。それが一致しなければ（ステップＳ１０３；Ｎｏ）、エラー処理扱いとし、そこで処理が終了する。
【００４６】
反対に上記第二のパスワード情報が上記ユーザＩＤのものと一致すると判断されると（ステップＳ１０３；Ｙｅｓ）、既に登録されている当該ユーザＡの第一のパスワード情報の入力を促すメッセージが表示される（ステップＳ１０４）。
【００４７】
該表示に従って、該第一のパスワード情報が入力されると（ステップＳ１０５）、前記照合手段２により、該第一のパスワード情報が、当該ユーザＡの第一のパスワード情報として前記記憶手段１に登録されているものと一致するか否かがチェックされる（ステップＳ１０６）。それが一致しなければ（ステップＳ１０６；Ｎｏ）、エラー処理扱いとし、そこで処理が終了する。
【００４８】
反対に上記第一のパスワード情報が該ユーザＡのものとして登録されているものと一致すると判断されると（ステップＳ１０６；Ｙｅｓ）、正式パスワードの入力を促すメッセージが表示される（ステップＳ１０７）。
【００４９】
ユーザＡにより正式パスワードが入力された場合（ステップＳ１０８）、制御手段３によって、既に記憶手段１に登録されている対応ユーザ情報と併せてその内容の更新登録が行われる（ステップＳ１０９）。すなわち記憶手段１において、第一のパスワード情報の記録データが正式パスワードに更新され、また第二のパスワード情報は削除され、さらに本人確認フラグが立つことになる。
【００５０】
以上のような本実施例構成によれば、第一のパスワード情報をユーザＡに予め登録させ（この第一のパスワード情報は、通常ユーザ側しか知り得ない）、それとは別にこのユーザＡに送られた第二のパスワード情報と上記第一のパスワード情報とを、上記ログイン時にユーザＡに入力させることで、両者が登録されているものと一致した時に、ユーザ本人と確認できることになる。
【００５１】
上記本人確認ができた時点で、正式パスワードを新たに入力させ（パスワードの更新を行わせ）、以後この正式パスワードと前記ユーザＩＤを用いて、ユーザＡがログインできるようにすることで、その後のログイン毎に上記操作をユーザＡにさせる必要がなくなって、操作性の向上につながる。
【００５２】
尚、本発明の本人確認方法、本人確認装置及び記録媒体は、上述の実施例にのみ限定されるものではなく、本発明の要旨を逸脱しない範囲内において種々変更を加え得ることは勿論である。
【００５３】
【発明の効果】
以上、説明したように本発明の請求項１〜１０記載の本人確認方法、本人確認装置及び記録媒体によれば、ユーザ側しか知り得ない第一のパスワード情報と別途交付された第二のパスワード情報とを、ユーザに入力させることで、両者が登録されているものと一致した時に、ユーザ本人であると確認できるようになるという優れた効果を奏し得る。それによってウェブサイトが提供するサービスの初回利用時点において、ログインしようとする者が申込者本人であることを確認でき、第三者によるなりすまし等の不正ログインを防止することが可能となる。
【００５４】
また本人確認ができた時点で、正式パスワードを新たに入力させ、以後この正式パスワードと前記ユーザＩＤを用いて、ユーザがログインできるようにしているため、その後のログイン毎にユーザに２重のパスワードの入力操作をさせる必要がなくなって、操作性が向上することになる。
【００５５】
尚、上記各請求項には規定されていないが、請求項６〜１０の記録媒体に記録されたプログラムと同一の機能を達成するプログラム自身を、該記録媒体とは別に提案する。
【００５６】
すなわち、１つ目は、コンピュータ上に、ユーザにより入力された第一のパスワード情報及びユーザ側に発行した第二のパスワード情報並びにユーザ側に交付したユーザＩＤを含むユーザ情報が記憶される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを構成し、それらの構成によって、次の各ステップが実行される、コンピュータに読み込まれて実行可能なプログラムであって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行するステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、正式パスワードの入力を促すステップと、
正式パスワードが入力された場合に、上記制御手段により、既に登録されている対応ユーザ情報と併せてその内容の更新登録を上記記憶手段に対して行うステップと
を実行させるプログラムである。
また２つ目は、コンピュータ上に、ユーザにより入力された第一のパスワード情報及びユーザ側に発行した第二のパスワード情報並びにユーザ側に交付したユーザＩＤを含むユーザ情報が記憶され、且つ本人確認フラグが設定される記憶手段と、ユーザにより入力される第一のパスワード情報と前記記憶手段に記憶された第一のパスワード情報とが照合される照合手段と、その照合結果が一致する場合に、ユーザ情報の内容の更新がなされる制御手段とを構成し、それらの構成によって、次の各ステップが実行される、コンピュータに読み込まれて実行可能なプログラムであって、
ユーザからのアクセスがあった時に、第一のパスワード情報及びユーザ情報の入力を促すステップと、
該ユーザからの第一のパスワード情報及びユーザ情報が入力された時に、上記制御手段により、上記記憶手段に、これらの第一のパスワード情報及びユーザ情報を記憶するステップと、
該記憶処理時に、さらに、上記制御手段により、該ユーザ情報の一部を構成するユーザＩＤと第二のパスワード情報を発行し、且つ本人確認フラグの設定がなされるステップと、
上記ユーザアクセスとは別の時に、ユーザ側に発行された上記ユーザＩＤと第二のパスワード情報とが用いられてユーザのログインがあった際に、上記制御手段により、少なくとも既に登録されている当該ユーザの第一のパスワード情報の入力を促すステップと、
上記照合手段により、入力された第一のパスワード情報と、記憶手段に登録されている上記第一のパスワード情報とを照合するステップと、
上記照合手段により、これらのパスワードが登録されているものと一致すると判断された時に、上記制御手段により、上記本人確認フラグを立てると共に、正式パスワードの入力を促すステップと、
正式パスワードが入力された場合に、上記制御手段により、既に登録されている対応ユーザ情報と併せてその内容の更新登録を上記記憶手段に対して行うステップと
を実行させるプログラムである。
【００５７】
さらに３つ目は、前記コンピュータが、制御手段により、上記ユーザログイン後の第一のパスワード情報の入力を促すステップを実行する場合に、第二のパスワード情報の入力を再度促すと共に、同じく該コンピュータが、上記照合手段による照合ステップを実行する場合に、促されて入力された第二のパスワード情報と登録されている第二のパスワード情報との照合を行うように機能するプログラムである。
【００５８】
加えて４つ目は、
コンピュータを、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶する記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させると共に、上記照合手段による第一のパスワード情報同士の照合結果が一致する場合に、当該ユーザによる正式パスワードの入力を促して、該正式パスワードが入力された時に、前記記憶手段に記憶されたユーザ情報と併せてその内容を更新する制御手段と
して機能させるプログラムである。
【００５９】
最後の５つ目は、
コンピュータを、
ユーザがアクセスしてきた時に該ユーザ側から第一のパスワード情報及びユーザ情報が入力された時点で、入力された第一のパスワード情報と、ユーザ側に発行されたユーザＩＤを含む、入力された上記ユーザ情報と、該ユーザ側に発行された第二のパスワード情報とを記憶すると共に、本人確認フラグが設定される記憶手段と、
上記ユーザアクセスとは別の時に、上記ユーザＩＤ及び第二のパスワード情報が用いられてユーザのログインがあった際に、ユーザにより入力される上記第一のパスワード情報と、前記記憶手段に記憶された第一のパスワード情報とを照合する照合手段と、
ユーザがアクセスしてきた際に、該ユーザ側からの第一のパスワード情報及びユーザ情報の入力を促し、これらの情報が入力され、上記記憶手段に記憶された時に、上記第二のパスワード情報及びユーザＩＤを発行させ、且つ該ユーザ情報にユーザＩＤを付加して記憶手段に記憶させ、さらに本人確認フラグの設定を行うと共に、上記照合手段による第一のパスワード情報同士の照合結果が一致する場合に、上記本人確認フラグを立てた上で、当該ユーザによる正式パスワードの入力を促して、該正式パスワードが入力された時に、前記記憶手段に記憶されたユーザ情報と併せてその内容を更新する制御手段と
して機能させるプログラムである。
【図面の簡単な説明】
【図１】ユーザＡが、インターネット３００上の所定のサイトＳで、正式ユーザになるために、本発明に係る本人確認装置１０による本人確認手続を行う場合の、全体の枠組みを示す概念図である。
【図２】サイトＳを構成するウェブサーバ１００及びアプリケーションサーバ１１０の装置概要を示す説明図である。
【図３】本人確認装置１０の構成を示す説明図である。
【図４】ユーザデータに関する記憶手段１への格納形式を示すデータ構造説明図である。
【図５】本人確認装置１０による本人確認処理の流れを示すフローチャートである。
【符号の説明】
１  記憶手段
２  照合手段
３  制御手段
１０  本人確認装置
３０  入出力制御部
１００  ウェブサーバ
１０１  システムバス
１０２  ＣＰＵ
１０３  ＲＡＭ
１０４  ハードディスクドライブ
１０５  通信装置
１０６  入力装置
１０７  出力装置
１１０  アプリケーションサーバ
１２０  ゲイトウェイ
１３０  メインフレーム
２００  パソコン
２０１  ブラウザ
３００  インターネット
【図１】
0003640864.tif 000002
【図２】
0003640864.tif 000003
【図３】
0003640864.tif 000004
【図４】
0003640864.tif 000005
【図５】
0003640864.tif 000006